(57)【要約】【課題】本発明の実施形態は、アレイ基板とその駆動方法、および表示装置を提供する。【解決手段】本発明のアレイ基板は、マトリクスの形で配置される複数の画素群と、画素群に対応している、横方向に配置される複数の横列のゲート線と、縦方向に配置される複数の縦列の第１のデータ線および第２のデータ線とを含み、ここで、各画素群は、２つの隣り合う横列に位置付けられる第１の画素ユニットおよび第２の画素ユニットを含み、ゲート線は、対応する画素群における第１の画素ユニットおよび第２の画素ユニットにそれぞれ連結され、第１のデータ線および第２のデータ線は、対応する画素群における第１の画素ユニットおよび第２の画素ユニットにそれぞれ連結されて、データ信号を第１の画素ユニットおよび第２の画素ユニットに供給し、ゲート線は、画素ユニットの周囲において、同じ層の金属によって形成される。【選択図】図２
2014146028.tif 000002
【特許請求の範囲】
【請求項１】
マトリクスの形で配置される複数の画素群と、
前記画素群に対応している、横方向に配置されるゲート線と、
前記画素群に対応している、縦方向に配置される第１のデータ線および第２のデータ線とを備え、
各画素群は、それぞれが対応するゲート線の両側に位置付けられるとともに前記ゲート線に連結される第１の画素ユニットおよび第２の画素ユニットを備え、
前記第１のデータ線は、対応する前記画素群における前記第１の画素ユニットに連結されて、データ信号を前記第１の画素ユニットに供給し、前記第２のデータ線は、対応する前記画素群における前記第２の画素ユニットに連結されて、データ信号を前記第２の画素ユニットに供給し、
前記ゲート線は、前記画素ユニットの周囲において、同じ層の金属によって形成される、
アレイ基板。
【請求項２】
前記画素群に対応する前記第１のデータ線および前記第２のデータ線は、前記画素群の両側にそれぞれ配置される、請求項１に記載のアレイ基板。
【請求項３】
１つの画素群に各々が対応する複数の多段出力装置をさらに備え、
前記多段出力装置は、データ線駆動回路によって出力された信号を、前記第１のデータ線および前記第２のデータ線のそれぞれを介して出力されるデータ信号に分解する、請求項１または２に記載のアレイ基板。
【請求項４】
前記多段出力装置は、
前記データ線駆動回路によって出力された前記信号を、前記第１のデータ線によって出力される第１のデータ信号に変換するための第１の出力モジュールと、
前記データ線駆動回路によって出力された前記信号を、前記第２のデータ線によって出力される第２のデータ信号に変換するための第２の出力モジュールと
を備える、請求項３に記載のアレイ基板。
【請求項５】
前記第１の出力モジュールは、
前記第１のデータ線と連結されるソース、第１のスイッチ信号と連結されるゲート、および前記データ線と連結されるドレインを含む第１のトランジスタと、
前記第１のデータ線と連結された一端、および接地されている他端を含む第１のコンデンサとを備え、
前記第２の出力モジュールは、
前記第２のデータ線と連結されるソース、第２のスイッチ信号と連結されるゲート、および前記データ線と連結されるドレインを含む第２のトランジスタと、
前記第２のデータ線と連結された一端、および接地されている他端を含む第２のコンデンサとを備える、
請求項４に記載のアレイ基板。
【請求項６】
請求項１から５のいずれか一項に記載のアレイ基板を備える表示装置。
【請求項７】
請求項１に記載のアレイ基板を駆動するための方法であって、
横列駆動信号を現在の横列の前記ゲート線に入力し、前記ゲート線に対応する前記画素群における前記第１の画素ユニットおよび前記第２の画素ユニットを作動させるように制御するステップと、
第１の制御信号を各画素群の第１のデータ線を通じて入力して、前記画素群の前記第１の画素ユニットを帯電させるステップと、
第２の制御信号を各画素群の第２のデータ線を通じて入力して、前記画素群の前記第２の画素ユニットを帯電させるステップと、
前記横列駆動信号を前記現在の横列の前記ゲート線に入力することを停止し、前記横列駆動信号を次の横列の前記ゲート線に入力するステップと
を含む方法。
【請求項８】
前記アレイ基板は、請求項５に記載の、第１のトランジスタと第２のトランジスタとを備え、前記方法は、
各画素群の表示周期の第１の半周期において、前記第１のトランジスタを第１のスイッチ信号を通じて作動させるように制御し、前記第２のトランジスタを第２のスイッチ信号を通じて非作動とさせるように制御し、前記第１の制御信号を前記第１のトランジスタを通じて前記第１のデータ線へと出力するステップと、
各画素群の前記表示周期の第２の半周期において、前記第１のトランジスタを前記第１のスイッチ信号を通じて非作動とさせるように制御し、前記第２のトランジスタを前記第２のスイッチ信号を通じて作動させるように制御し、前記第２の制御信号を前記第２のトランジスタを通じて前記第２のデータ線へと出力するステップと
を含む、請求項７に記載の方法。
【発明の詳細な説明】
【技術分野】
【０００１】
本発明は、表示技術の分野に関し、詳細には、アレイ基板とその駆動方法および表示装置に関する。
【背景技術】
【０００２】
現在、細幅なフレームを備えた表示装置がディスプレイ製品の開発の主流に徐々になってきており、より細幅なフレームを備えた表示装置を獲得するための鍵は、アレイ基板において表示領域の周囲のゲート線回路またはデータ線回路によって占められる領域を縮小することである。
【０００３】
既存のアレイ基板は、図１に示すように、縦横に交差されたゲート線１１およびデータ線１２によって分割された複数の画素ユニット１３を含んだものとすることができ、ここで、各画素ユニット１３の内側にはＴＦＴ（薄膜トランジスタ）領域１４が設けられ、ゲート線１１およびデータ線１２は、画素ユニット１３を駆動してＴＦＴ領域１４内のＴＦＴを介して機能する。既存のアレイ基板では、画素ユニット１３の領域内にあるすべてのゲート線は、同じ層の金属によって形成することができ、一方、画素ユニット１３の周囲では、パッケージ化された領域の幅には制限があるため、ゲート線１１の抵抗をさらに小さくするのに、画素ユニット１３の周囲においてゲート線は、一般に、異なる層の金属によって形成される。例えば、実際の表示装置製品では、ゲート線を通って奇数列に入力されるゲート駆動信号は、左側から画素領域に入ることができ、ゲート線を通って偶数列に入力されるゲート駆動信号は、右側から画素領域に入ることができる。ここで、２つの隣り合う奇数列のゲート線の周囲リード線１１１ａおよび１１１ｂは、異なる層の金属によって形成され、２つの隣り合う偶数列のゲート線の周囲リード線１１２ａおよび１１２ｂは、同様に、異なる層の金属によって形成される。このような構造を有するアレイ基板には次のような弱点がある：線が画素ユニット１３の周囲で一般に長くなること、大きな抵抗の差が異なる層の金属間で作り出されること、および特に薄いゲート線の場合に、２つの隣り合う列におけるゲート線同士の間の抵抗の差が総じて大きく、それによって表示装置の表示過程における列同士の間での表示が容易に異なることになり、Ｈラインの悪化を容易に引き起こしてしまうことである。このような弱点は、製品の歩留まりに悪影響を与える。
【発明の概要】
【発明が解決しようとする課題】
【０００４】
本発明の実施形態は、Ｈラインの悪化を回避でき表示装置製品の歩留まりを改善できる、アレイ基板とその駆動方法、および表示装置を提供する。
【課題を解決するための手段】
【０００５】
上記の目的を達成するために、本発明の実施形態は、以下の技術的解決策を採用する：
本発明の実施形態の一態様は、マトリクスの形で配置される複数の画素群と、画素群に対応している、横方向に配置される複数の横列のゲート線と、縦方向に配置される複数の縦列の第１のデータ線および複数の縦列の第２のデータ線とを備えることを特徴とする、アレイ基板を提供し、
各画素群は、２つの隣り合う横列に位置付けられる第１の画素ユニットおよび第２の画素ユニットを含み、
ゲート線は、対応する画素群における第１の画素ユニットおよび第２の画素ユニットにそれぞれ連結され、第１のデータ線は、対応する画素群における第１の画素ユニットに連結されて、データ信号を第１の画素ユニットに供給し、第２のデータ線は、対応する画素群における第２の画素ユニットに連結されて、データ信号を第２の画素ユニットに供給し、
ゲート線は、画素ユニットの周囲において、同じ層の金属によって形成される。
【０００６】
本発明の実施形態の別の態様は、上記のアレイ基板を含む表示装置を提供する。
【０００７】
本発明の実施形態のさらに別の態様は、請求項１のアレイ基板を駆動するための方法を提供し、その方法は、以下の順で実行されるステップ、
横列駆動信号を現在の横列のゲート線に入力し、ゲート線に対応する画素群における第１の画素ユニットおよび第２の画素ユニットを作動させるように制御するステップ、
第１の制御信号を第１のデータ線を通じて入力して、この横列のゲート線に対応する第１の画素ユニットを帯電させるステップ、
第２の制御信号を第２のデータ線を通じて入力して、この横列のゲート線に対応する第２の画素ユニットを帯電させるステップ、
横列駆動信号を現在の横列のゲート線に入力することを停止し、横列駆動信号を次の横列のゲート線に入力するステップ
を含むことを特徴とする。
【０００８】
本発明の実施形態において提供されるアレイ基板とその駆動方法、および表示装置において、１つのゲート線は、ゲート線に隣接する２つの隣り合う横列の第１の画素ユニットと第２の画素ユニットとを制御し、第１の画素ユニットは第１のデータ線を用いて帯電され、第２の画素ユニットは第２のデータ線を用いて帯電され、信号は、第１のデータ線および第２のデータ線を通じて、第１の画素ユニットおよび第２の画素ユニットに連続して出力されて、アレイ基板の順次走査を実現し、ここで、２つの隣り合うゲート線は、画素ユニットの周囲において、同じ層の金属によって形成される。こうして、ゲート線の配線の数を効果的に減らすことができ、単一層の金属によるゲート線の配線が実現されるとともに、ゲート線を同じマスク処理を採用して形成することができるため、２つの隣り合う横列におけるゲート線同士の間の抵抗の差が小さくされ、表示装置のＨラインの悪化が回避され、表示装置製品の歩留まりが改善される。
【０００９】
本発明の実施形態における技術的な解決策、または従来技術における技術的な解決策をより明確に例示するために、実施形態または従来技術の説明で必要とされる添付の図面についての簡単な説明が以下に示される。以下に説明される添付の図面は、本発明の実施形態の単なる一部であり、それらに基づいて、当業者は特に想像的な取組みを行うことなく他の図面を得ることができることは明らかである。
【図面の簡単な説明】
【００１０】
【図１】従来技術のアレイ基板の構造の概略図である。
【図２】本発明の実施形態で提供されるアレイ基板の構造の概略図である。
【図３】本発明の実施形態で提供される別のアレイ基板の構造の概略図である。
【図４】本発明の実施形態で提供されるアレイ基板の多段出力装置の構造の概略図である。
【図５】本発明の実施形態で提供されるアレイ基板の多段出力装置の回路接続の概略図である。
【図６】本発明の実施形態で提供されるアレイ基板を駆動するための制御信号の概略的な波形図である。
【図７】本発明の実施形態で提供されるアレイ基板を駆動するための方法の概略的なフロー図である。
【発明を実施するための形態】
【００１１】
本発明の実施形態における技術的な解決策の明確で完全な説明が、本発明の実施形態において添付の図面とともに、以下に示される。本明細書に記載された実施形態は、本発明の実施形態の単なる一部であって、すべてではないことは明らかである。本発明の実施形態に基づいて当業者によって実現される他のすべての実施形態は、本発明の保護の範囲内にある。
【００１２】
本発明の実施形態において提供されるアレイ基板は、図２に示すように、マトリクスの形で配置される複数の画素群２１と、それぞれの画素群２１に対応するとともに横方向に配置される複数の横列のゲート線２２と、縦方向に配置される複数の縦列の第１のデータ線２３１および複数の縦列の第２のデータ線２３２とを含む。
【００１３】
各画素群２１は、２つの隣り合う横列に位置付けられている第１の画素ユニット２１１および第２の画素ユニット２１２を含む。
【００１４】
ゲート線２２は、対応する画素群２１で第１の画素ユニット２１１および第２の画素ユニット２１２にそれぞれ連結されており、第１のデータ線２３１は、対応する画素群２１における第１の画素ユニット２１１に連結されて、データ信号を第１の画素ユニット２１１に供給し、第２のデータ線２３２は、対応する画素群２１における第２の画素ユニット２１２に連結されて、データ信号を第２の画素ユニット２１２に供給し、
ゲート線２２は、画素ユニットの周囲において、同じ層の金属によって形成されている。
【００１５】
本発明の実施形態において提供されるアレイ基板において、１つのゲート線は、ゲート線に隣接する２つの隣り合う横列の第１の画素ユニットと第２の画素ユニットとを制御し、第１の画素ユニットは第１のデータ線を用いて帯電され、第２の画素ユニットは第２のデータ線を用いて帯電され、信号は、第１のデータ線および第２のデータ線を通じて、第１の画素ユニットおよび第２の画素ユニットに連続して出力されて、アレイ基板の順次走査を実現し、２つの隣り合うゲート線は、画素ユニットの周囲において、同じ層の金属によって形成されている。このようにして、ゲート線の配線の数を効果的に減らすことができ、単一層の金属によるゲート線の配線が実現されるとともに、ゲート線を同じマスク処理を採用して形成することができるため、２つの隣り合う横列におけるゲート線同士の間の抵抗の差が小さくされ、表示装置のＨラインの悪化が回避され、表示装置製品の歩留まりが改善される。
【００１６】
第１のデータ線２３１および第２のデータ線２３２は、画素領域における任意の位置で平行に配置できることに留意すべきである。図２に示す液晶表示パネルでは、第１のデータ線２３１および第２のデータ線２３２は、画素群２１の両側にそれぞれ位置付けられている。このようにして、現在の画素群２１の第２のデータ線２３２は、隣接する画素群の第１のデータ線２３１と密に隣接しているので、第２のデータ線２３２を隠蔽するためにブラックマトリクス構造を追加的に加える必要がなく、液晶表示パネルの開口率が確保される。
【００１７】
さらに、２つの横列の画素が１つの横列のゲート線によって制御されるとき、問題が発生する。すなわち、ゲート線が高レベルにあるとき、２つの横列の画素はオン状態にある。画素が、この時間において、異なるデータ線を用いることで同時に帯電される場合、データ線は、データ信号の違いのため、２倍にする必要があり、この場合、データ線駆動回路（データ線駆動集積回路（ＩＣ）など）のコストが上昇する。一方、画素が、異なる時間において、同じ数のデータ線を用いてそれぞれ帯電される場合、第１の横列の画素の帯電が完了されたときに第１の横列の画素が電力を漏出し、第２の横列の画素が帯電されてしまうという問題が引き起こされる。この問題は、本発明においては、多段出力装置を配置することで、具体的には、静電容量を保つことを付加することで解決される。図３に示すように、アレイ基板は、少なくとも１つの多段出力装置２４を含み得る。
【００１８】
多段出力装置２４は、データ線２３の駆動回路によって出力された信号を、第１のデータ線２３１および第２のデータ線２３２のそれぞれによって出力されるデータ信号に分解できる。
【００１９】
多段出力装置２４をアレイ基板に追加する設計を通じて、データ信号を、第１のデータ線および第２のデータ線のそれぞれに１つのデータ線で出力させることができ、これは１つのデータ線の２重ソース出力を実現する。したがって、データ線駆動回路によって駆動させる必要があるデータ線の量は、アレイ基板におけるゲート線の量が半分とされている条件においても増加されることはなく、２倍の数のデータ線を用いて同時入力を実施する方法は回避される。本発明は、アレイ基板におけるデータ線の配線の数を効果的に減らし、表示装置の生産コストをさらに低下させる。
【００２０】
具体的には、図４に示すように、多段出力装置２４は、
データ線２３の駆動回路によって出力された信号を、第１のデータ線２３１によって出力される第１のデータ信号に変換するための第１の出力モジュール４１、
データ線２３の駆動回路によって出力された信号を、第２のデータ線２３２によって出力される第２のデータ信号に変換するための第２の出力モジュール４２
を含み得る。
【００２１】
さらに、図５に示すように、第１の出力モジュール４１は、
ソースが第１のデータ線２３１と連結され、グリッドが第１のスイッチ信号Ｓｗｉｔｃｈ１と連結され、ドレインがデータ線２３と連結される第１のトランジスタＴ１、
一端が第１のデータ線２３１と連結され、他端が接地されている第１のコンデンサＣ１
を含み得る。
【００２２】
第２の出力モジュール４２は、
ソースが第２のデータ線２３２と連結され、グリッドが第２のスイッチ信号Ｓｗｉｔｃｈ２と連結され、ドレインがデータ線２３と連結される第２のトランジスタＴ２、
一端が第２のデータ線２３２と連結され、他端が接地されている第２のコンデンサＣ２
を含み得、
第１のスイッチ信号Ｓｗｉｔｃｈ１が第１のトランジスタＴ１を作動させるように制御するとき、第２のスイッチ信号Ｓｗｉｔｃｈ２は第２のトランジスタＴ２を非作動とさせるように制御し、また、第２のスイッチ信号Ｓｗｉｔｃｈ２が第２のトランジスタＴ２を作動させるように制御するとき、第１のスイッチ信号Ｓｗｉｔｃｈ１は第１のトランジスタＴ１を非作動とさせるように制御する。
【００２３】
このような構造の多段出力装置を採用することで、１つの縦列のデータ信号を、スイッチ信号の制御の下でそれぞれ出力される２つの縦列のデータ信号に変えることができ、ここで、ゲート線は、ゲート線に隣接する２つの隣り合う横列の画素ユニットを制御して、第１のデータ線および第２のデータ線のそれぞれの出力過程において常にオン状態としつつ、２つの隣り合う横列の一方の画素ユニットは、他方の横列の画素ユニットが電圧を維持するためのコンデンサを第１のデータ線および第２のデータ線の出力端部に付加することで走査されているときに、ゲート線の連続するオン状態によって影響される可能性はなく、そのため表示装置製品の品質は改善される。
【００２４】
本発明の実施形態で採用されているトランジスタは、薄膜トランジスタ、電界効果トランジスタ、または、同じ特性を有する他の装置であり得ることと、本発明の実施形態で採用されたトランジスタのソースおよびドレインは対称であり、そのためトランジスタのソースおよびドレインは違いがないこととは留意されるべきである。本発明の実施形態では、ゲートを除いたトランジスタの他の２つの端部を区別するために、一方の端部がソースと呼ばれ、他方の端部がドレインと呼ばれている。さらに、トランジスタは、トランジスタの性質に応じてＮ型トランジスタとＰ型トランジスタとに分類されてもよく、Ｎ型トランジスタは、本発明の実施形態において説明のための例として用いられている。当業者にとっては、創造的な取組みを行うことなく、Ｐ型トランジスタを採用して本発明の実施形態を実施する構想を思いつくことは容易であり、したがって、そのような構想は本発明の実施形態の保護の範囲内にある。
【００２５】
具体的には、上記のアレイ基板は、図６に示す制御信号を採用することによって駆動されてもよい。ここで、Ｇａｔｅ１およびＧａｔｅ２は、第１の横列のゲート線および第２の横列のゲート線によってそれぞれ出力された信号を示す。Ｓｗｉｔｃｈ１およびＳｗｉｔｃｈ２は、第１のスイッチ信号および第２のスイッチ信号をそれぞれ示す。ＤＡＴＡは、データ線による信号入力を示す。ＤＡＴＡ１は、第１のデータ線によって出力された第１の制御信号を示し、ＤＡＴＡ２は、第２のデータ線によって出力された第２の制御信号を示す。本発明の実施形態で提供されるアレイ基板を駆動するための方法を、以下に詳細に例示する。
【００２６】
第１の段階で、Ｇａｔｅ１は高レベルであるため、第１の横列の画素ユニットおよび第２の横列の画素ユニットは作動させられる。一方、Ｓｗｉｔｃｈ１は高レベルであり、Ｓｗｉｔｃｈ２は低レベルであるため、ＤＡＴＡ１はデータ信号を出力し、第１の横列の画素ユニットが帯電させられる。
【００２７】
第２の段階で、Ｇａｔｅ１は高レベルを維持し、Ｓｗｉｔｃｈ１およびＳｗｉｔｃｈ２の両方は低レベルである。第１のコンデンサＣ１が、第１の段階で出力されたデータ信号のレベルと同じ電圧を蓄えているため、ＤＡＴＡ１の出力におけるＧａｔｅ１の連続するオン状態の影響を回避でき、その結果、第１の横列の画素ユニットの走査が完了される。
【００２８】
第３の段階で、Ｇａｔｅ１は高レベルを維持し、その間、Ｓｗｉｔｃｈ１は低レベルであり、また、Ｓｗｉｔｃｈ２は高レベルであるため、ＤＡＴＡ２はデータ信号を出力し、第２の横列の画素ユニットが帯電させられる。
【００２９】
第４の段階で、Ｇａｔｅ１は高レベルを維持し、Ｓｗｉｔｃｈ１およびＳｗｉｔｃｈ２の両方が低レベルである。第２のコンデンサＣ２が、第３の段階で出力されたデータ信号のレベルと同じ電圧を蓄えているため、ＤＡＴＡ２の出力におけるＧａｔｅ１の連続するオン状態の影響を回避でき、その結果、第２の横列の画素ユニットの走査が完了される。
【００３０】
第５の段階で、Ｇａｔｅ１は低レベルであり、Ｇａｔｅ２は高レベルであり、その間、Ｓｗｉｔｃｈ１は高レベルであり、また、Ｓｗｉｔｃｈ２は低レベルであるため、ＤＡＴＡ１はデータ信号を出力し、第３の横列の画素ユニットが帯電させられる。
【００３１】
同様にして、アレイ基板の順次走査を、上記の過程を繰り返すことで実現することができる。
【００３２】
本発明の実施形態において提供されるアレイ基板において、１つのゲート線は、ゲート線に隣接する２つの隣り合う横列の第１の画素ユニットと第２の画素ユニットとを制御し、第１の画素ユニットは第１のデータ線を用いて帯電され、第２の画素ユニットは第２のデータ線を用いて帯電され、信号は、第１のデータ線および第２のデータ線を通じて、第１の画素ユニットおよび第２の画素ユニットに連続して出力されて、アレイ基板の順次走査を実現し、ここで、２つの隣り合うゲート線は、画素ユニットの周囲において、同じ層の金属によって形成されている。このようにして、ゲート線の配線の数を効果的に減らすことができ、単一層の金属によるゲート線の配線が実現されるとともに、ゲート線を同じマスク処理を採用して形成することができるため、２つの隣り合う横列におけるゲート線同士の間の抵抗の差が小さくされ、表示装置のＨラインの悪化が回避され、表示装置製品の歩留まりが改善される。
【００３３】
本発明の実施形態は、上記の任意のアレイ基板を含む表示装置を提供する。表示装置は、液晶表示、液晶テレビ、デジタルフォトフレーム、携帯電話、タブレットコンピュータなど、表示機能を備えた任意の製品または部品とすることができる。
【００３４】
ここで、アレイ基板の構造は上記の実施形態で詳細に説明したので、ここでは重複して繰り返すことはしない。
【００３５】
本発明の実施形態において提供される表示装置は、アレイ基板を備えており、そのアレイ基板は、１つのゲート線を用いて、ゲート線に隣接する２つの隣り合う横列の第１の画素ユニットと第２の画素ユニットとを制御し、第１の画素ユニットは第１のデータ線を用いて帯電され、第２の画素ユニットは第２のデータ線を用いて帯電され、信号は、第１のデータ線および第２のデータ線を通じて、第１の画素ユニットおよび第２の画素ユニットに連続して出力されて、アレイ基板の順次走査を実現し、ここで、２つの隣り合うゲート線は、画素ユニットの周囲において、同じ層の金属によって形成されている。このようにして、ゲート線の配線の数を効果的に減らすことができ、単一層の金属によるゲート線の配線が実現されるとともに、ゲート線を同じマスク処理を採用して形成することができるため、２つの隣り合う横列におけるゲート線同士の間の抵抗の差が小さくされ、表示装置のＨラインの悪化が回避され、表示装置製品の歩留まりが改善される。
【００３６】
本発明の実施形態は、図７に示すように、アレイ基板を駆動するための方法も提供し、方法は、
横列駆動信号を現在の横列のゲート線に入力し、ゲート線に対応する画素群における第１の画素ユニットおよび第２の画素ユニットを作動させるように制御するステップＳ７０１、
第１の制御信号を第１のデータ線を通じて入力して、この横列のゲート線に対応する第１の画素ユニットを帯電させるステップＳ７０２、
第２の制御信号を第２のデータ線を通じて入力して、この横列のゲート線に対応する第２の画素ユニットを帯電させるステップＳ７０３、
横列駆動信号を現在の横列のゲート線に入力することを停止し、横列駆動信号を次の横列のゲート線に入力するステップＳ７０４
を含み、
ここで、２つの隣り合うゲート線は、画素ユニットの周囲において、同じ層の金属によって形成されている。
【００３７】
本発明の実施形態において提供されるアレイ基板において、１つのゲート線は、ゲート線に隣接する２つの隣り合う横列の第１の画素ユニットと第２の画素ユニットとを制御し、第１の画素ユニットは第１のデータ線を用いて帯電され、第２の画素ユニットは第２のデータ線を用いて帯電され、信号は、第１のデータ線および第２のデータ線を通じて、第１の画素ユニットおよび第２の画素ユニットに連続して出力されて、アレイ基板の順次走査を実現し、ここで、２つの隣り合うゲート線は、画素ユニットの周囲において、同じ層の金属によって形成されている。このようにして、ゲート線の配線の数を効果的に減らすことができ、単一層の金属によるゲート線の配線が実現されるとともに、ゲート線を同じマスク処理を採用して形成することができるため、２つの隣り合う横列におけるゲート線同士の間の抵抗の差が小さくされ、表示装置のＨラインの悪化が回避され、表示装置製品の歩留まりが改善される。
【００３８】
本発明の実施形態で提供されるアレイ基板を駆動するための方法は、図２に示すアレイ基板を駆動するために用いることができる。さらに、図３に示すアレイ基板は、少なくとも１つの多段出力装置を備えることができる。それに対応して、図７に示すように、本発明の実施形態で提供されるアレイ基板を駆動するための方法はまた、
第１のデータ線および第２のデータ線によってそれぞれ出力される制御信号を、多段出力装置を通じてデータ線によって出力された信号から取得するステップ
を含み得る。
【００３９】
多段出力装置をアレイ基板に追加する設計を通じて、データ信号を、第１のデータ線および第２のデータ線のそれぞれに１つのデータ線を用いて出力させることができ、その結果、１つのデータ線の２重ソース出力が実現されている。したがって、２倍の数のデータ線を用いて同時入力を実施する方法と比較して、本発明は、アレイ基板におけるデータ線の配線の数を効果的に減らし、表示装置の生産コストをさらに低下させている。
【００４０】
具体的には、第１のデータ線および第２のデータ線によってそれぞれ出力される制御信号を、多段出力装置を通じてデータ線によって出力された信号から取得するステップは、
第１のデータ線によって出力される第１の制御信号を、第１の出力モジュールを通じてデータ線によって出力された信号から取得するステップであって、
例えば、第１のスイッチ信号が第１のトランジスタを作動させるように制御し、第２のスイッチ信号が第２のトランジスタを非作動とさせるように制御すると、第１の制御信号は、データ線によって第１のトランジスタを通じて第１のデータ線に出力される、ステップ、
第２のデータ線によって出力される第２の制御信号を、第２の出力モジュールを通じてデータ線によって出力された信号から取得するステップであって、
例えば、第１のスイッチ信号が第１のトランジスタを非作動とさせるように制御し、第２のスイッチ信号が第２のトランジスタを作動させるように制御すると、第２の制御信号は、データ線によって第２のトランジスタを通じて第２のデータ線に出力される、ステップ
を含み得る。
【００４１】
本発明の実施形態で提供されるアレイ基板を駆動するための方法は、図３に示すアレイ基板を駆動するために用いることができることは留意されるべきである。ここで、第１の出力モジュールの構造は、第１のトランジスタおよび第１のコンデンサを含め、図５に示すようになっていてもよい。第２の出力モジュールも、第２のトランジスタおよび第２のコンデンサを含め、図５に示すようになっていてもよい。
【００４２】
このような構造の多段出力装置を採用することで、１つの縦列のデータ信号を、スイッチ信号の制御の下でそれぞれ出力される２つの縦列のデータ信号に変えることができ、ここで、ゲート線は、ゲート線に隣接する２つの隣り合う横列の画素ユニットを制御して、第１のデータ線および第２のデータ線のそれぞれの出力過程において常にオン状態としつつ、２つの隣り合う横列の一方の画素ユニットは、他方の横列の画素ユニットが電圧を維持するためのコンデンサを第１のデータ線および第２のデータ線の出力端部に付加することで走査されているときに、ゲート線の連続するオン状態によって影響される可能性はなく、そのため表示装置製品の品質は改善される。
【００４３】
前述の説明は、本発明の保護範囲を限定するのではなく、本発明の具体的な実施形態にすぎない。この技術に精通する当業者が本発明の開示された技術的範囲内で容易に思いつくことができる変形形態や代替形態は、本発明の保護範囲内であるものとする。したがって、本発明の保護範囲は、特許請求の保護範囲によって定められるべきである。
【符号の説明】
【００４４】
１  第１のスイッチ信号スイッチ
２  第２のスイッチ信号スイッチ
１１  ゲート線
１２  データ線
１３  画素ユニット
１４  ＴＦＴ（薄膜トランジスタ）領域
２１  画素群
２２  ゲート線
２３  データ線
２４  多段出力装置
４１  第１の出力モジュール
４２  第２の出力モジュール
１１１ａ  周囲リード線
１１１ｂ  周囲リード線
１１２ａ  周囲リード線
１１２ｂ  周囲リード線
２１１  第１の画素ユニット
２１２  第２の画素ユニット
２３１  第１のデータ線
２３２  第２のデータ線
Ｃ１  第１のコンデンサ
Ｃ２  第２のコンデンサ
Ｔ１  第１のトランジスタ
Ｔ２  第２のトランジスタ
【図４】
2014146028.tif 000003
【図５】
2014146028.tif 000004
【図６】
2014146028.tif 000005
【図７】
2014146028.tif 000006
【図１】
2014146028.tif 000007
【図２】
2014146028.tif 000008
【図３】
2014146028.tif 000009
【外国語明細書】
2014146028000001.pdf